(57)【要約】      （修正有）【課題】「差分伝送方式」で「差分情報」と「映像コンテンツ」を受信する電子機器において、受信した「差分情報」と「映像コンテンツ」の同期をとりやすくする。【解決手段】電子機器は、第１解像度の映像の映像データをデコード処理し、同期識別マーク６１を付与して出力する第１のデコード処理部を備える。また、前記第１解像度の映像より解像度が高い第２解像度の映像の生成に用いられる差分情報をデコード処理し、同期識別マーク６２を付与して出力する第２のデコード処理を備える。また、前記第１解像度の映像の映像データに付与された同期識別マークと、前記差分情報に付与された同期識別マークを用いて、前記第１解像度の映像の映像データと前記差分情報の同期をとり、前記第２解像度の映像を生成する映像生成部を備える。【選択図】図６
2014204339.tif 000002
【特許請求の範囲】
【請求項１】
第１解像度の映像の映像データをデコード処理し、同期識別マークを付与して出力する
第１のデコード処理部と、
前記第１解像度の映像より解像度が高い第２解像度の映像の生成に用いられる差分情報
をデコード処理し、同期識別マークを付与して出力する第２のデコード処理と、
前記第１解像度の映像の映像データに付与された同期識別マークと、前記差分情報に付
与された同期識別マークを用いて、前記第１解像度の映像の映像データと前記差分情報の
同期をとり、前記第２解像度の映像を生成する映像生成部と、を備える電子機器。
【請求項２】
前記第１解像度の映像の映像データがスケーリング処理された後に、前記第２解像度の
映像が生成される請求項１に記載の電子機器。
【請求項３】
前記第１解像度の映像の映像データと前記差分情報がブレンド処理され、前記第２解像
度の映像が生成される請求項１または請求項２に記載の電子機器。
【請求項４】
前記生成された第２解像度の映像が表示出力される表示部を備える請求項１乃至請求項
３のいずれかに記載の電子機器。
【請求項５】
前記第１解像度の映像の映像データの同期識別マークと前記差分情報の同期識別マーク
は、それぞれの映像フレームのブランキングに付加される請求項１乃至請求項４のいずれ
かに記載の電子機器。
【請求項６】
前記それぞれの映像フレームのブランキングに付加された同期識別マークを用いて、前
記第２解像度の映像が生成される請求項５に記載の電子機器。
【請求項７】
前記第１解像度の映像の映像データの同期識別マークと前記差分情報の同期識別マーク
として、ダミーフレームが挿入される請求項１乃至請求項４のいずれかに記載の電子機器
。
【請求項８】
前記ダミーフレームを用いて、前記第２解像度の映像が生成される請求項７に記載の電
子機器。
【請求項９】
第１解像度の映像の映像データをデコード処理し、同期識別マークを付与して出力する
ステップと、
前記第１解像度の映像より解像度が高い第２解像度の映像の生成に用いられる差分情報
をデコード処理し、同期識別マークを付与して出力するステップと、
前記第１解像度の映像の映像データに付与された同期識別マークと、前記差分情報に付
与された同期識別マークを用いて、前記第１解像度の映像の映像データと前記差分情報の
同期をとり、前記第２解像度の映像を生成するステップと、を備え、電子機器を制御する
電子機器の制御方法。
【請求項１０】
第１解像度の映像の映像データをデコード処理し、同期識別マークを付与して出力する
ステップと、
前記第１解像度の映像より解像度が高い第２解像度の映像の生成に用いられる差分情報
をデコード処理し、同期識別マークを付与して出力するステップと、
前記第１解像度の映像の映像データに付与された同期識別マークと、前記差分情報に付
与された同期識別マークを用いて、前記第１解像度の映像の映像データと前記差分情報の
同期をとり、前記第２解像度の映像を生成するステップと、を備え、電子機器を制御する
電子機器の制御プログラム。 
【発明の詳細な説明】
【技術分野】
【０００１】
本発明の実施形態は、  電子機器、電子機器の制御方法、電子機器の制御プログラムに
関する。
【背景技術】
【０００２】
近年、例えば、「２ｋ１ｋ」と呼ばれる高解像度の映像コンテンツ（第１解像度の映像
、または、ＨＤ映像）を表示することが可能な、高解像度映像コンテンツを表示可能なデ
ィスプレイを備えた電子機器が普及している。
【０００３】
ここで、「２ｋ１ｋ」とは、いわゆるフルＨＤ相当のサイズを示す表現である。
【０００４】
また、「２ｋ１ｋ」の「Ｋ」はキロを指す。フルＨＤの解像度は水平画素数１９２０×
垂直画素数１０８０で、概算で２０００×１０００、すなわち「２ｋ１ｋ」という表現に
なっている。
【０００５】
また、解像度は、例えば、映像を表現するための縦と横の点（ドット）の数として表現
される。
【０００６】
また、近年、例えば、「４ｋ２ｋ」と呼ばれる、「２ｋ１ｋ」よりもさらに高解像度の
映像コンテンツ（第２解像度の映像）を表示可能なディスプレイを備えた電子機器が製品
化されつつある。
【０００７】
ここで、「４ｋ２ｋ」とは、水平画素数 ４０００×垂直画素数２０００前後の画面解
像度を持つ映像フォーマットの総称である。「４ｋ２ｋ」は、例えば、デジタルシネマの
標準規格であるＤＣＩで定められている４Ｋ（４０９６×２１６０）や、ＦＨＤ（フルＨ
Ｄ：１９２０×１０８０)の４倍の画素数を持つＱＦＨＤ(クアッド・フルＨＤ：３８４０
×２１６０等を指す。
【０００８】
このように、「４ｋ２ｋ」は、新しい動画規格として注目されている。
【０００９】
しかし、「４ｋ２ｋ」においては、情報を収納する媒体規格や配信方法が定まっておら
ず、コンテンツもあまり供給されていないため、一般的にはあまり馴染みがないのが現状
である。
【００１０】
このため、例えば、「第１の映像コンテンツ」（第１解像度の映像（例えば、「２ｋ１
ｋ」））と、映像差分データ（第１の映像コンテンツより解像度が高い第２の映像コンテ
ンツ（第２解像度の映像（例えば、「４ｋ２ｋ」）と第１の映像コンテンツとの差分情報
（「差分情報」））を用い、「第２の映像コンテンツ」（第２解像度の映像（例えば、「
４ｋ２ｋ」）を表示する方式が提案されている（差分伝送方式）。
【００１１】
ここでは、例えば、「ＨＤ映像」のような「第１の映像コンテンツ」と、「第１の映像
コンテンツ」との「差分情報」を用いて生成された、より高解像度（より高画質）な「４
ｋ２ｋ映像」のような「第２の映像コンテンツ」を、「高画質映像コンテンツ」と呼ぶ。
【００１２】
また、例えば、「差分伝送方式」の一つの方式として、「映像コンテンツ」（例えば、
ＨＤ映像）の映像信号を第２の経路（例えば、地上波放送等）で伝送し、「差分情報」は
第１の経路（例えば、ＢＳ放送やＩＰ伝送等）で伝送する、というように、「映像コンテ
ンツ」と「差分情報」を異なる経路で伝送する方式が検討されている。
【００１３】
このため、この方式においては、「映像コンテンツ」と「差分情報」が異なる経路で伝
送されるので、少なくとも、「映像コンテンツ」の再生の際には、「差分情報」が良好に
取得されていることが望ましい。
【００１４】
しかし、例えば、「差分情報」と「映像コンテンツ」が異なる伝送経路で配信される場
合に、受信側で、両者を、必ずしも同時に受信できるとは限らず、問題となっていた。
【００１５】
このため、例えば、「差分伝送方式」で「差分情報」と「映像コンテンツ」を受信する電
子機器において、受信した「差分情報」と「映像コンテンツ」の同期をとりやすくするこ
とが課題になっていた。
【先行技術文献】
【特許文献】
【００１６】
【特許文献１】特開２０１１−１４２４２２号公報
【発明の概要】
【発明が解決しようとする課題】
【００１７】
例えば、「差分伝送方式」で「差分情報」と「映像コンテンツ」を受信する電子機器にお
いて、受信した「差分情報」と「映像コンテンツ」の同期をとりやすくすることが課題に
なっていた。
【課題を解決するための手段】
【００１８】
実施形態の電子機器は、第１解像度の映像の映像データをデコード処理し、同期識別マー
クを付与して出力する第１のデコード処理部を備える。
【００１９】
また、前記第１解像度の映像より解像度が高い第２解像度の映像の生成に用いられる差
分情報をデコード処理し、同期識別マークを付与して出力する第２のデコード処理を備え
る。
【００２０】
また、前記第１解像度の映像の映像データに付与された同期識別マークと、前記差分情
報に付与された同期識別マークを用いて、前記第１解像度の映像の映像データと前記差分
情報の同期をとり、前記第２解像度の映像を生成する映像生成部を備える。
【図面の簡単な説明】
【００２１】
【図１】実施形態に係る電子機器の外観を示す外観図。
【図２】実施形態に係る電子機器が受信する「差分情報」を放送で伝送する放送局側の構成の一例を示すブロック図。
【図３】実施形態に係る電子機器の構成の一例を示すブロック図。
【図４】一般的な電子機器において、「差分情報」が受信されるようすを示す図。
【図５】図４に示す電子機器における各データのタイミング図。
【図６】実施形態に係る電子機器の基本的な構成を示すブロック図。
【図７】図６に示す電子機器における各データのタイミング図。
【図８】実施形態に係る電子機器において、ブランキングを利用した識別マークの添付動作を説明するフローチャート。
【図９】実施形態に係る電子機器において、ブランキングを利用したフレーム同期ブレンド動作を説明するフローチャート。
【図１０】実施形態に係る電子機器において、ダミーフレームを利用した識別マークの添付動作を説明するフローチャート。
【図１１】実施形態に係る電子機器において、ダミーフレームを利用したフレーム同期ブレンド動作を説明するフローチャート。
【図１２】他の実施形態に係る電子機器の基本的な構成を示すブロック図。
【図１３】実施形態に係る電子機器で用いられる水平ブランキング期間を説明する図。
【図１４】実施形態に係る電子機器の動作を説明するフローチャート。
【発明を実施するための形態】
【００２２】
以下、図面を参照し、実施の形態を説明する。
【００２３】
図１は、実施形態に係る電子機器の外観を示す外観図である。
【００２４】
ここでは、電子機器１の一例として、テレビ等の映像表示装置を用いて説明を行うが、
電子機器１はテレビに限定されることはなく、録画装置やパーソナルコンピュータ（ＰＣ
）、スマートフォン等の他の電子機器にも適用可能である。
【００２５】
電子機器１は、例えば、ユーザによってリモコン（リモートコントローラ）２１から操
作される。このリモコン２１から出力されたリモコン信号が電子機器１の操作受信部２０
３で受信される。
【００２６】
リモコン信号を受信した電子機器１は、このリモコン信号の指示によって動作し、例え
ば、ＬＣＤ（Ｌｉｑｕｉｄ  Ｃｒｙｓｔａｌ  Ｄｉｓｐｌａｙ、液晶ディスプレイ）等で
構成される表示画面（映像表示部、表示パネル）８に、所定の映像を表示出力する。
【００２７】
また、この電子機器１は、例えば、ＵＳＢ端子等で外付けされる外部記憶機器（ＨＤＤ
等）１９、図示せず）を備えている。そして、映像表示装置１で受信された放送を、例え
ば、映像表示装置１内部の内部記憶装置１７（図示せず）やこの外部記憶機器１９ に録
画することが可能である。
【００２８】
また、この実施形態においては、放送やＩＰ（インターネット）等で、「高画質映像」
を生成するための「差分情報」が伝送され、電子機器１で受信される、差分伝送方式が用
いられる。
【００２９】
差分伝送方式は、例えば、第１の映像（第１解像度の映像（例えば、「２ｋ１ｋ」））
と、映像差分データ（第１の映像より解像度が高い第２の映像（第２解像度の映像（例え
ば、「４ｋ２ｋ」）と第１の映像との差分情報）を用い、「高画質映像」である第２の映
像（第２解像度の映像、例えば、「４ｋ２ｋ」映像）を表示出力する方式である。
【００３０】
そして、この実施形態の電子機器は、第１の映像（例えば、「２ｋ１ｋ」映像）と、第
１の映像より解像度が高い第２の映像（例えば、「４ｋ２ｋ」映像）と第１の映像との差
分映像データを用いて第２の映像を出力する。
【００３１】
図２は、実施形態に係る電子機器が受信する「差分情報」を放送で伝送する放送局側の
構成の一例を示すブロック図である。
【００３２】
放送局２０側は、電子機器１側で、高画質映像（第２の映像（例えば、４ｋ２ｋ映像等
））を生成するための、第１の映像（第１解像度の映像（例えば、ＨＤ（２ｋ１ｋ））映
像等）を、放送によって送信（伝送）する。
【００３３】
また、放送局２０側は、第１の映像と組合せ、高画質映像（第２の映像（例えば、４ｋ
２ｋ映像等））を生成するための、「差分情報」を含む放送信号を、放送によって送信（
伝送）する。
【００３４】
ここでは、例えば、図２に示すように、高画質映像（第２の映像（４ｋ２ｋ映像等））
のソースデータ２１が、分離部２２で、「差分情報（データ）」と主映像データ（第１の
映像（第１解像度の映像（ＨＤ（２ｋ１ｋ））映像等））に分離され、それぞれ、差分情
報（データ）処理／送信部２３、主映像データ処理／送信部２４に送信される。
【００３５】
差分情報（データ）処理／送信部２３では、第１の経路（例えば、ＢＳ放送やＩＰ伝送
等）２５で、「差分情報」を含む放送信号を、送信（伝送）する。
【００３６】
また、主映像データ処理／送信部２４では、第２の経路（例えば、地上波デジタル放送
等）２６で、主映像データ（第１の映像（第１解像度の映像（ＨＤ（２ｋ１ｋ））映像等
））を含む放送信号を、送信（伝送）する。
【００３７】
なお、この実施形態において、上記放送は、ＢＳ放送や地上波デジタル放送に限られる
ことはなく、ＣＳ放送等の他の放送や、インターネット等の通信に適用することも可能で
ある。
【００３８】
この実施形態においては、「差分情報」を含む放送信号の送信（伝送）と、主映像デー
タ（第１の映像）を含む放送信号の送信（伝送）が異なる経路で行なわれるが、例えば、
「差分情報」を含む放送信号の送信（伝送）を地上波デジタル放送で行ったり、主映像デ
ータ（第１の映像）を含む放送信号の送信（伝送）をＣＳ放送で行なったりと、適宜変更
することが可能である。
【００３９】
図３は、実施形態に係る電子機器の構成の一例を示すブロック図である。
【００４０】
この実施形態においては、例えば、ＢＳ伝送差分情報受信部３１は、第１の経路（例え
ば、ＢＳ放送、ＩＰ伝送等）２５で送信された４ｋ２ｋ差分情報を受信し、復調／デコー
ド部３２に向けて出力する。
【００４１】
復調／デコード部３２は、受信した４ｋ２ｋ差分情報を復調し、デコード処理する。 
４ｋ２ｋ差分情報管理部３５は、復調／デコード部３２でデコード処理された４ｋ２ｋ
差分情報を、システム制御部４０の指示で管理する。
【００４２】
また、ＨＤ放送受信部３３は、第２の経路（例えば、地上波デジタル放送等）２６で送信
された、第１解像度の映像である所定番組を含むＨＤ映像データ（第１解像度）を受信し
、復調／デコード部３４に向けて出力する。
【００４３】
復調／デコード部３４は、ＨＤ映像データ（第１解像度）を受信し、復調し、デコード処
理を行い 、パネル（例えば、表示画面８）への出力処理、もしくは大容量記憶装置部４
１に保存される。
【００４４】
ここで、パネル（例えば、表示画面８）への出力処理は、例えば、４ｋ２ｋ差分情報が対
応づけられる映像コンテンツは、システム制御部４０の指示に従い、システムメモリ部３
９を介しながら、映像処理部３８にて、ＨＤ映像データ（第１解像度）と４ｋ２ｋ差分情
報とを用いて、ＨＤ映像データ（第１解像度）より解像度が高い４ｋ２ｋ映像（第２解像
度）が生成される。そして、パネル出力部４８を介してパネル（例えば、表示画面）８へ
映像の表示出力が行われる。
【００４５】
また、ＧＵＩ処理部３７は、例えば、番組表や録画リスト、番組視聴中の番組情報、その
他メニューや音量等のＧＵＩデータ生成を行う。
【００４６】
また、ＧＵＩデータは、例えば、システム制御部４０からの指示で、ＧＵＩ表示有効フレ
ームになると、システムメモリ部３９を介しながら、パネル出力部４８にて、映像データ
と合成が行われ、パネル（例えば、表示画面８）へ表示が行われる。
【００４７】
そして、操作部３６にて、例えば、視聴者が扱う操作機器２からの入力を受け、システム
制御部４０へ操作情報が伝えられる。
【００４８】
図４は、一般的な電子機器において、「差分情報」が受信されるようすを示す図である
。
【００４９】
この例では、電子機器１００は、第１解像度の映像の映像データ（２ｋ１ｋストリーム
）をＴＶ  ＳＯＣデコーダ１３４で受信して、デコード処理し、スケーラ１３４ａでスケ
ーリング処理を行い、出力する。
【００５０】
また、前記第１解像度の映像より解像度が高い第２解像度の映像の生成に用いられる差
分情報を４ｋ２ｋ差分情報用デコーダ１３２で受信して、デコード処理し、出力する。
【００５１】
また、スケーラ１３４ａでスケーリング処理された第１解像度の映像の映像データ（２
ｋ１ｋストリーム）と４ｋ２ｋ差分情報用デコーダ１３２でデコードされた第２解像度の
映像の生成に用いられる差分情報（４ｋ２ｋ差分ストリーム）がブレンド部６３でブレン
ド処理され、パネル８に向けて出力される。
【００５２】
しかし、この場合は、第１解像度の映像の映像データ（２ｋ１ｋストリーム）または、
第２解像度の映像の生成に用いられる差分情報（４ｋ２ｋ差分ストリーム）のどちらか、
また、両方にずれが生じると、例えば、デコード処理にて基準となるタイムスタンプがな
くなってしまうことがある。このため、例えば、上記デコード処理後に、両者の同期をと
ることができなくなってしまう恐れがある。
【００５３】
図５は、図４に示す電子機器における各データのタイミング図である。
【００５４】
図５は、各ブロックの入出力となるデータがそれぞれどのようなタイミングであるか時
間軸で表現している。
【００５５】
ここでは、図５は、それぞれのストリーム（第１解像度の映像の映像データ（２ｋ１ｋ
ストリーム）、第２解像度の映像の生成に用いられる差分情報（４ｋ２ｋ差分ストリーム
））は、必ずしも同時に電子機器１００に入力されるとは限らないことを示している。
【００５６】
図６は、実施形態に係る電子機器の基本的な構成を示すブロック図である。
【００５７】
この実施形態の電子機器１は、第１解像度の映像の映像データ（２ｋ１ｋストリーム）を
受信して、第１解像度の映像の映像データをデコード処理し、同期識別マークを付与して
出力する第１のデコード処理部（例えば、復調デコード部３４等）を備える。
【００５８】
また、前記第１解像度の映像より解像度が高い第２解像度の映像の生成に用いられる差
分情報（差分情報（４ｋ２ｋ差分ストリーム））を受信して、デコード処理し、同期識別
マークを付与して出力する第２のデコード処理（例えば、復調デコード部３２等）を備え
る。
【００５９】
また、前記第１解像度の映像の映像データに付与された同期識別マークと、前記差分情
報に付与された同期識別マークを用いて、前記第１解像度の映像の映像データと前記差分
情報の同期をとり、前記第２解像度の映像を生成する映像生成部（例えば、フレーム同期
ブレンド部６３）を備える。
【００６０】
また、ここでは、電子機器１は、復調デコード部３４でデコード処理された第１解像度
の映像の映像データをスケーリング処理するスケーラ部３４ａを備えている。
【００６１】
すなわち、この実施形態においては、各デコーダ（復調デコード部３４、復調デコード
部３２）において、それぞれ、同期識別マークの添付処理（付与）を行い、これらの同期
識別マークが付与された前記第１解像度の映像の映像データと同期識別マークが付与され
た前記差分情報の同期をとり、ブレンド処理を行う。
【００６２】
これにより、例えば、フレーム同期ブレンド処理を行うことで、前記第１解像度の映像の
映像データと前記差分情報の、各フレームの同期をとることが可能となる。
【００６３】
図７は、図６に示す電子機器における各データのタイミング図である。
【００６４】
図７は、各ブロックの入出力となるデータのタイミングを時間軸で表現している。
【００６５】
ここでは、図７に示すように、同期識別マークが付与された前記第１解像度の映像の映
像データと同期識別マークが付与された前記差分情報の同期をとるようすを示している。
【００６６】
図８は、実施形態に係る電子機器において、ブランキングを利用した識別マークの添付
動作を説明するフローチャートである。
【００６７】
ステップＳ１００は、ここでの開始ステップである。続いて、ステップＳ１０１に進む
。
【００６８】
ステップＳ１０１は、例えば、デコードデータ８１を用い、ここでの処理の終了を検出
するステップである。処理の終了が検出される場合はステップＳ１０６に進む（Ｙｅｓ）
。処理の終了が検出されない場合はステップＳ１０２に進む（Ｎｏ）。
【００６９】
ステップＳ１０２は、例えば、スタートフレーム情報８２を用い、受信した映像データ
が基準フレームであるかを検出するステップである。映像データが基準フレームであると
検出される場合は、ステップＳ１０４に進む（Ｙｅｓ）。映像データが基準フレームでは
ないと検出される場合は、ステップＳ１０３に進む（Ｎｏ）。
【００７０】
ステップＳ１０３は、識別カウントを「＋１」に設定するステップである。続いて、ス
テップＳ１０５に進む。
【００７１】
ステップＳ１０４は、識別カウントを「０」に設定するステップである。続いて、ステ
ップＳ１０５に進む。
【００７２】
ステップＳ１０５は、フレームのブランキングに上記設定された識別カウントを付加し
、フレームデータ８３として記憶するステップである。続いて、ステップＳ１０１に進み
、上記処理を繰り返す
ステップＳ１０６は、終了ステップであり、ここでの処理は終了する。
【００７３】
ここでは、電子機器１は、上記デコード処理後の基準フレームを見つけ、基準フレーム
を「識別カウント：０」として、それ以外でカウントアップを行い、例えば、全フレーム
に番号を発番し、各フレームのブランキング期間に発番した識別カウントを付加する。
【００７４】
この処理は、上記２ｋ１ｋストリームおよび４ｋ２ｋ差分ストリームの両方で行うことが
望ましい。
【００７５】
図９は、実施形態に係る電子機器において、ブランキングを利用したフレーム同期ブレ
ンド動作を説明するフローチャートである。
【００７６】
ステップＳ２００は、ここでの開始ステップである。続いて、ステップＳ２０１に進む
。
【００７７】
ステップＳ２０１は、例えば、映像フレームデータから映像データ側の識別マーク読み
取りを行うステップである。続いて、ステップＳ２０２に進む。
【００７８】
ステップＳ２０２は、差分フレームデータから差分データ側の識別マーク読み取りを行
うステップである。続いて、ステップＳ２０３に進む。
【００７９】
ステップＳ２０３は、同一フレームであるかを検出するステップである。同一フレーム
であると検出される場合は、ステップＳ２０５に進む（Ｙｅｓ）。同一フレームではない
と検出される場合は、ステップＳ２０４に進む（Ｎｏ）。
【００８０】
ステップＳ２０４は、処理を次のフレームに進めるステップである。なお、上限を設け
ておくことも可能である。続いて、ステップＳ２０２に進み、上記処理を繰り返す。
【００８１】
ステップＳ２０５は、第１解像度の映像の映像データと差分情報の同期をとり、ブレン
ド処理して、第２解像度の映像を生成するステップである。続いて、ステップＳ２０６に
進む。
【００８２】
ステップＳ２０６は、終了ステップであり、ここでの処理は終了する。
【００８３】
なお、ここでは、映像フレームデータが先行している例を用いているが、差分フレーム
データが先行しても良い。
【００８４】
図１０は、実施形態に係る電子機器において、ダミーフレームを利用した識別マークの
添付動作を説明するフローチャートである。
【００８５】
ステップＳ３００は、ここでの開始ステップである。続いて、ステップＳ３０１に進む
。
【００８６】
ステップＳ３０１は、処理が終了であるかを検出するステップである。処理が終了であ
ると検出される場合は、ステップＳ３０８に進む（Ｙｅｓ）。処理が終了であると検出さ
れない場合は、ステップＳ３０２に進む（Ｎｏ）。
【００８７】
ステップＳ３０２は、基準フレームであるかを検出するステップである。基準フレーム
であると検出される場合は、ステップＳ３０３に進む（Ｙｅｓ）。基準フレームであると
検出されない場合は、ステップＳ３０４に進む（Ｎｏ）。
【００８８】
ステップＳ３０３は、識別カウントを「＋１」に設定するステップである。続いて、ス
テップＳ３０５に進む。
【００８９】
ステップＳ３０４は、識別カウントを「０」に設定するステップである。続いて、ステ
ップＳ３０５に進む。
【００９０】
ステップＳ３０５は、識別カウントが「０」に設定されているかを検出するステップで
ある。識別カウントが「０」に設定されていると検出される場合は、ステップＳ３０７に
進む（Ｙｅｓ）。識別カウントが「０」に設定されていないと検出される場合は、ステッ
プＳ３０６に進む（Ｎｏ）。
【００９１】
ステップＳ３０６は、ダミーデータを挿入するステップである。続いて、ステップＳ３
０７に進む。
【００９２】
ステップＳ３０７は、フレームを出力するステップである。続いて、ステップＳ３０１
に進み、上記処理を繰り返す。
【００９３】
ステップＳ３０８は、終了ステップであり、ここでの処理は終了する。
【００９４】
図１１は、実施形態に係る電子機器において、ダミーフレームを利用したフレーム同期ブ
レンド動作を説明するフローチャートである。
【００９５】
ステップＳ４００は、ここでの開始ステップである。続いて、ステップＳ４０１に進む
。
【００９６】
ステップＳ４０１は、映像データ側の読み込みを行うステップである。続いて、ステッ
プＳ４０２に進む。
【００９７】
ステップＳ４０２は、映像データ側（２ｋ１ｋ）が、ダミーフレームがあるかを検出す
るステップである。映像データ側（２ｋ１ｋ）が、ダミーフレームがあると検出される場
合は、ステップＳ４０３に進む（Ｙｅｓ）。映像データ側（２ｋ１ｋ）が、ダミーフレー
ムはないと検出される場合は、ステップＳ４０１に進み、上記処理を繰り返す（Ｎｏ）。
【００９８】
ステップＳ４０３は、検出されたダミーフレームを捨てるステップである。続いて、ス
テップＳ４０４に進む。
【００９９】
ステップＳ４０４は、差分データ側（４ｋ２ｋ差分情報）の読み込みを行うステップで
ある。続いて、ステップＳ４０５に進む。
【０１００】
ステップＳ４０５は、差分データ側にダミーフレームがあるかを検出するステップであ
る。差分データ側にダミーフレームがあると検出される場合は、ステップＳ４０６に進む
（Ｙｅｓ）。差分データ側にダミーフレームがあると検出されない場合は、ステップＳ４
０４に進み、上記処理を繰り返す（Ｎｏ）。
【０１０１】
ステップＳ４０６は、検出されたダミーフレームを捨てるステップである。続いて、ス
テップＳ４０７に進む。
【０１０２】
ステップＳ２０５は、第１解像度の映像の映像データと差分情報の同期をとり、ブレン
ド処理して、第２解像度の映像を生成するステップである。続いて、ステップＳ４０８に
進む。
【０１０３】
ステップＳ４０８は、終了ステップであり、ここでの処理は終了する。
【０１０４】
図１２は、他の実施形態に係る電子機器の基本的な構成を示すブロック図である。
【０１０５】
他の実施形態においては、例えば、図１２に示すように、フレーム同期ブレンド部６３に
、同期識別マーク６１、同期識別マーク６２等の、添付時の識別マーク情報を利用するこ
とも可能とする。
【０１０６】
ここでは、図６で説明した第１解像度の映像の映像データに付与された同期識別マーク
６１の情報と、差分情報に付与された同期識別マーク６２の情報をフレーム同期ブレンド
部６３に通知するようにしている。
【０１０７】
これにより、第１解像度の映像の映像データに付与された同期識別マーク６１と、前記
差分情報に付与された同期識別マーク６２を用いて、第１解像度の映像の映像データと差
分情報の同期をとり、第２解像度の映像を生成するようにしている。
【０１０８】
また、同期識別マーク６１や同期識別マーク６２等の上記同期識別マークは、例えば、
基準フレームからの経過時間や差分時間、あるいは、基準フレームからの番号等、各フレ
ームの対応が取れるものであれば特に限定されない。
【０１０９】
また、上記同期識別マークは、ブランキング区間、同期用ダミーフレーム、あるいは透か
し（映像に同期情報を埋める：ウォーターマーク）等、映像にあまり影響を与えずに埋め
込める場所であれば特に限定されない。
【０１１０】
また、上記説明した基準フレームは、例えば、開始フレームが元となるが、その後に、準
基準フレームとして、シーンチェンジやダミーフレーム等、両フレームでの対応が取れる
ものであれば利用可能である。
【０１１１】
また、上記同期識別マークは、必ずしも、全フレームに付与しなくともよく、必要に応
じて、適宜、適当なフレームに付与するようにすることも可能である。
【０１１２】
図１３は、実施形態に係る電子機器で用いられる水平ブランキング期間を説明する図であ
る。
【０１１３】
図１３に示すように、水平ブランキング期間は、フロントポーチ、水平同期およびバッ
クポーチの和で表わされる。
【０１１４】
図１４は、実施形態に係る電子機器の動作を説明するフローチャートである。
【０１１５】
ステップＳ５００は、ここでの開始ステップである。続いて、ステップＳ５０１に進む
。
【０１１６】
ステップＳ５０１は、電子機器１が、第１解像度の映像（例えば、２ｋ１ｋ映像）の映
像データを受信するステップである。続いて、ステップＳ５０２に進む。
【０１１７】
ステップＳ５０２は、受信した第１解像度の映像（２ｋ１ｋ映像）の映像データを復調
デコード部３４等でデコード処理し、同期識別マーク６１（図６、図１２）を付与して、
出力するステップである。続いて、ステップＳ５０３に進む。
【０１１８】
ステップＳ５０３は、同期識別マーク６１（図６、図１２）が付与された第１解像度の
映像（２ｋ１ｋ映像）の映像データを、例えば、スケーラ部３４ａで４ｋ２ｋサイズにス
ケーリング（アップコンバージョン）処理して出力（スケーリング部３４ａ、図６、図１
２）するステップである。続いて、ステップＳ５０４に進む。
【０１１９】
ステップＳ５０４は、復調デコード部３２が、第１解像度の映像（２ｋ１ｋ映像）より
解像度が高い第２解像度の映像（例えば、４ｋ２ｋ映像）の生成に用いられる４ｋ２ｋ差
分情報を受信するステップである。続いて、ステップＳ５０５に進む。
【０１２０】
ステップＳ５０５は、例えば、復調デコード部３２が、受信した４ｋ２ｋ差分情報をデ
コード処理し、同期識別マーク６２（図６、図１２）を付与して出力するステップである
。続いて、ステップＳ５０６に進む。
【０１２１】
ステップＳ５０６は、例えば、フレーム同期ブレンド部６３で、同期識別マーク６１が
付与され、スケーリング処理された第１解像度の映像（２ｋ１ｋ映像）の映像データと、
同期識別マーク６２が付与された４ｋ２ｋ差分情報を、同期識別マーク６１と同期識別マ
ーク６２を用いて同期をとり、例えば、ブレンド処理して、第２解像度の映像（４ｋ２ｋ
映像）の映像データを生成するステップである。続いて、ステップＳ５０７に進む。
【０１２２】
ステップＳ５０７は、同期がとれた第２解像度の映像（４ｋ２ｋ映像）の映像データを
用い、例えば、フレーム同期ブレンド部６３から映像表示部（パネル）８に、第２解像度
の映像（４ｋ２ｋ映像）を表示出力するステップである。続いて、ステップＳ５０８に進
む。
【０１２３】
ステップＳ５０８は、終了ステップであり、ここでの処理は終了する。
【０１２４】
すなわち、この実施形態においては、例えば、受信したデータからフレーム対応情報（識
別マーク）を生成する。
【０１２５】
また、映像信号に同期用識別マークを載せる（付与する）。
【０１２６】
また、同期用識別マークを用い、対応フレーム同士をブレンド処理する。
【０１２７】
すなわちこの実施形態では、例えば、デコーダが、入力ストリームを映像フレームデー
タとして生成する際に、フレーム毎が対応付けできる新しい情報（同期識別マーク）を生
成し、追加する。また、差分情報の入力データも同様に、同期識別マークを生成し、追加
する。
【０１２８】
さらに、各入力に対するそれぞれの同期識別マークを元にし、同じフレーム同士を用いて
ブレンドし、第１解像度の映像より解像度が高い第２解像度の映像（４ｋ２ｋ映像）を生
成する。
【０１２９】
このように構成することにより、この実施形態においては、例えば、第１解像度の映像
の映像データ（２ｋ１ｋ側）と第１解像度の映像より解像度が高い第２解像度の映像の生
成に用いられる差分情報（差分側）との同期をとりやすくすることが可能になる。
【０１３０】
これにより、電子機器において、きれいな４ｋ２ｋ映像（第１解像度の映像より解像度が
高い第２解像度の映像）を表示出力することが可能になる。
【０１３１】
また、この実施形態においては、例えば、実際の映像信号に上記説明したように同期識
別マーク等のデータを載せる（付与する）ことで、新たに、同期用の追加端子等を構成し
なくとも良い。
【０１３２】
すなわち、この実施形態においては、電子機器１は、第１解像度の映像の映像データ（２
ｋ１ｋストリーム）を受信して、第１解像度の映像の映像データをデコード処理し、同期
識別マークを付与して出力する第１のデコード処理部（例えば、復調デコード部３４等）
を備える。
【０１３３】
また、前記第１解像度の映像より解像度が高い第２解像度の映像の生成に用いられる差
分情報（差分情報（４ｋ２ｋ差分ストリーム））を受信して、デコード処理し、同期識別
マークを付与して出力する第２のデコード処理（例えば、復調デコード部３２等）を備え
る。
【０１３４】
また、前記第１解像度の映像の映像データに付与された同期識別マークと、前記差分情
報に付与された同期識別マークを用いて、前記第１解像度の映像の映像データと前記差分
情報の同期をとり、前記第２解像度の映像を生成する映像生成部（例えば、フレーム同期
ブレンド部６３）を備える。
【０１３５】
また、この実施形態の電子機器１においては、第１解像度の映像の映像データがスケー
リング処理された後に、前記第２解像度の映像が生成される。
【０１３６】
また、この実施形態の電子機器１においては、前記第１解像度の映像の映像データと前
記差分情報がブレンド処理され、前記第２解像度の映像が生成される。
【０１３７】
また、この実施形態の電子機器１においては、前記生成された第２解像度の映像が表示
出力される表示部を備える。
【０１３８】
また、この実施形態の電子機器１においては、前記第１解像度の映像の映像データの同
期識別マークと前記差分情報の同期識別マークは、それぞれの映像フレームのブランキン
グに付加される。
【０１３９】
また、この実施形態の電子機器１においては、前記それぞれの映像フレームのブランキ
ングに付加された同期識別マークを用いて、前記第２解像度の映像が生成される。
【０１４０】
また、この実施形態の電子機器１においては、前記第１解像度の映像の映像データの同
期識別マークと前記差分情報の同期識別マークとして、ダミーフレームが挿入される。
【０１４１】
また、この実施形態の電子機器１においては、前記ダミーフレームを用いて、前記第２
解像度の映像が生成される。
【０１４２】
上記のように構成することによって、この実施形態においては、例えば、「差分伝送方
式」で「差分情報」と「映像コンテンツ」を受信する電子機器において、受信した「差分
情報」と「映像コンテンツ」の同期をとりやすくすることが可能になる。
【０１４３】
なお、上記実施形態の制御処理の手順は全てソフトウェアによって実行することが可能
である。このため、制御処理の手順を実行するプログラムを格納したコンピュータ読み取
り可能な記憶媒体を通じてこのプログラムを通常のコンピュータにインストールして実行
するだけで、上記実施形態と同様の効果を容易に実現することができる。
【０１４４】
なお、上記実施形態は、記述そのものに限定されるものではなく、実施段階では、その
趣旨を逸脱しない範囲で、構成要素を種々変形して具体化することが可能である。
【０１４５】
また、上記実施形態に開示されている複数の構成要素の適宜な組み合せにより種々の発
明を形成できる。
【０１４６】
例えば、実施形態に示される全構成要素から幾つかの構成要素を削除してもよい。更に
、異なる実施形態に亘る構成要素を適宜組み合せてもよい。
【符号の説明】
【０１４７】
１…電子機器、８…映像表示部（パネル）、３２…復調デコード部、３４…復調デコー
ド部、３４ａ…スケーラ部、６１…同期識別マーク、６２…同期識別マーク。
【図１】
2014204339.tif 000003
【図２】
2014204339.tif 000004
【図３】
2014204339.tif 000005
【図４】
2014204339.tif 000006
【図５】
2014204339.tif 000007
【図６】
2014204339.tif 000008
【図７】
2014204339.tif 000009
【図８】
2014204339.tif 000010
【図９】
2014204339.tif 000011
【図１０】
2014204339.tif 000012
【図１１】
2014204339.tif 000013
【図１２】
2014204339.tif 000014
【図１３】
2014204339.tif 000015
【図１４】
2014204339.tif 000016